(57)【特許請求の範囲】
【請求項１】
配管を接続する場合に該配管を保持するロック機構と配管が接続されている場合に該配管の保持を解除するロック解除機構とを備えた管継手を介して配管と電磁弁のポートとを接続するための電磁弁の管継手構造において、
解除動作を伴うことで、前記配管の保持を解除させるように前記ロック解除機構を操作するロック解除機構操作手段を設けたアダプタと一体に構成され、前記ロック解除機構は、操作面が所定方向に押下されることで前記配管の保持を解除するように構成されており、
前記ロック解除機構操作手段には、前記解除動作に伴って前記操作面を前記所定方向に押下する押下部が設けられ、
前記押下部は、配管が保持されている場合、前記解除動作により前記操作面を押下する位置よりも上方又は下方の何れかに位置するように設けられており、
前記ロック解除機構操作手段は、前記解除動作として上下方向の動作を伴うことを特徴とする電磁弁の管継手構造。
【請求項２】
前記電磁弁の複数のポートと配管をそれぞれに接続するための複数の管継手を備え、
前記ロック解除機構操作手段には、一の前記解除動作に伴い、前記複数の管継手のうち一の管継手に対応する前記操作面を押下するように前記複数の管継手に対して１以上の前記押下部が設けられている請求項１に記載の電磁弁の管継手構造。
【請求項３】
前記電磁弁の複数のポートと配管をそれぞれに接続するための複数の管継手を備え、
前記ロック解除機構操作手段には、一の前記解除動作に伴い、前記複数の管継手のそれぞれの前記操作面をそれぞれ押下するように前記複数の管継手と同一数以上の前記押下部が設けられている請求項１に記載の電磁弁の管継手構造。
【発明の詳細な説明】
【技術分野】
【０００１】
本発明は、配管と電磁弁のポートを接続するための電磁弁の管継手構造に関する。
【背景技術】
【０００２】
電磁弁としては、例えば、特許文献１に開示のものが挙げられる。特許文献１に記載されるように、電磁弁には、外部に作動流体を出力するための出力ポートの他に供給ポートや排出ポートといった各種ポートが設けられている。さらに電磁弁の各種ポートには、配管を接続するための管継手が接続されている。そして、このような管継手では、接続した配管が簡単に抜け落ちしまわないようにするロック機構が構成されている。一方、電磁弁では、各種ポートに接続された配管を他の配管に取り替える場合もある。このため、管継手におけるロック機構としては、管継手に接続されている配管を抜けるようにするロック解除機構も合わせて備えている。そして、ロック解除機構としては、作業者がプッシュリングを押すことでロック機構を操作して簡単に配管を抜けるようにしたものが一般的である。
【先行技術文献】
【特許文献】
【０００３】
【特許文献１】特開平１１−１２５３５４号公報
【発明の概要】
【発明が解決しようとする課題】
【０００４】
ところで、このような電磁弁にあっては、複数の電磁弁を連接してこれを一つのユニットとして利用したりもすることから、個々の電磁弁についてはその小型化が進められている。このような個々の電磁弁の小型化に伴っては、電磁弁に接続される管継手も小型に構成されるだけでなく、管継手におけるロック解除機構も小型に構成されることになる。そうした場合には、作業者が管継手におけるロック解除機構を操作しようにもその操作を容易に行うことができず、配管の変更に伴う作業に労力を要してしまっていた。
【０００５】
本発明は、こうした従来の実情に鑑みてなされたものであり、その目的は、配管の変更に伴う作業を容易に行うことができる電磁弁の管継手構造を提供することにある。
【課題を解決するための手段】
【０００６】
上記目的を達成するために請求項１に記載の発明は、配管を接続する場合に該配管を保持するロック機構と配管が接続されている場合に該配管の保持を解除するロック解除機構とを備えた管継手を介して配管と電磁弁のポートとを接続するための電磁弁の管継手構造において、解除動作を伴うことで、前記配管の保持を解除させるように前記ロック解除機構を操作するロック解除機構操作手段を設けたアダプタと一体に構成され、前記ロック解除機構は、操作面が所定方向に押下されることで前記配管の保持を解除するように構成されており、前記ロック解除機構操作手段には、前記解除動作に伴って前記操作面を前記所定方向に押下する押下部が設けられ、前記押下部は、配管が保持されている場合、前記解除動作により前記操作面を押下する位置よりも上方又は下方の何れかに位置するように設けられており、前記ロック解除機構操作手段は、前記解除動作として上下方向の動作を伴うことを要旨とする。
【０００９】
請求項２に記載の発明は、請求項１に記載の電磁弁の管継手構造において、前記電磁弁の複数のポートと配管をそれぞれに接続するための複数の管継手を備え、前記ロック解除機構操作手段には、一の前記解除動作に伴い、前記複数の管継手のうち一の管継手に対応する前記操作面を押下するように前記複数の管継手に対して１以上の前記押下部が設けられていることを要旨とする。
【００１０】
請求項３に記載の発明は、請求項１に記載の電磁弁の管継手構造において、前記電磁弁の複数のポートと配管をそれぞれに接続するための複数の管継手を備え、前記ロック解除機構操作手段には、一の前記解除動作に伴い、前記複数の管継手のそれぞれの前記操作面をそれぞれ押下するように前記複数の管継手と同一数以上の前記押下部が設けられていることを要旨とする。
【発明の効果】
【００１１】
本発明によれば、配管の変更に伴う作業を容易に行うことができる。
【図面の簡単な説明】
【００１２】
【図１】（ａ）は電磁弁と管継手構造を示す断面図、（ｂ）は電磁弁と管継手を示す側面図、（ｃ）はアダプタを外した電磁弁と管継手構造を示す側面図。
【図２】（ａ）はアダプタを示す後面図、（ｂ）はアダプタを示す側面図、（ｃ）はアダプタを示す正面図、（ｄ）はアダプタを示す上視図。
【図３】（ａ）は第１の実施形態の操作レバーを示す側面図、（ｂ）は第１の実施形態の操作レバーを示す正面図。
【図４】（ａ），（ｂ）は第１の実施形態の配管のロック状態を示す断面図。
【図５】（ａ），（ｂ）は第１の実施形態の配管のロック解除状態を示す断面図。
【図６】（ａ），（ｂ）は第１の実施形態の配管のロック解除状態を示す断面図。
【図７】（ａ）は第２の実施形態の操作レバーを示す側面図、（ｂ）は第２の実施形態の操作レバーを示す正面図。
【図８】（ａ），（ｂ）は第２の実施形態の配管のロック解除状態を示す断面図。
【図９】別列の操作レバーを示す側面図。
【発明を実施するための形態】
【００１３】
（第１の実施形態）
以下、この発明の第１の実施形態を図１〜図６に基づき説明する。
なお、以下の説明では、図１に示される形態を基準として「上」、「下」、「前」、「後」の各方向を定義する。
【００１４】
図１（ａ）に示すように、本実施形態の電磁弁１０における電磁弁本体１１の前部には、２つの出力ポート１１ａ，１１ｂが形成されている。そして、電磁弁本体１１に内蔵される切換弁１１ｃの位置が切換制御されることで、作動流体を供給する給気ポートＰと作動流体を出力する出力ポート１１ａ，１１ｂが切り換えられるようになっている。なお、電磁弁本体１１には、励磁コイル１１ｄが内蔵されたパイロット弁ＰＢが搭載されているとともに、前記励磁コイル１１ｄに対する給電態様を制御する基板１１ｅなどが内蔵された駆動ブロックが搭載されている。そして、駆動ブロックによりパイロット弁ＰＢに対する給電が制御されることで、切換弁１１ｃの位置が切換制御される。
【００１５】
また、電磁弁本体１１の前部には、出力ポート１１ａ，１１ｂと配管接続用の管継手１４，１５とを接続するためのブロックベース１２が装着されているとともに、ブロックベース１２の前部には、管継手１４，１５を操作するロック解除機構操作手段としての操作レバーＬを設けたアダプタ１３が装着されている。本実施形態では、ブロックベース１２とアダプタ１３により電磁弁の管継手構造Ｕが構築されている。
【００１６】
次に、ブロックベース１２及び管継手１４，１５の構成について説明する。
ブロックベース１２には、管継手１４，１５を挿入する挿入孔１２ａ，１２ｂが形成されている。そして、挿入孔１２ａ（挿入孔１２ｂ）には、管継手１４（管継手１５）が挿入されることで、出力ポート１１ａ（出力ポート１１ｂ）と管継手１４（管継手１５）が接続される。また、図１（ｃ）に示すように、ブロックベース１２の前面には、ネジＮを挿通するネジ孔ｎが上下両側にそれぞれ形成されている。
【００１７】
また、挿入孔１２ａ（挿入孔１２ｂ）の奥側には、配管Ｈが挿通された場合に配管Ｈの外周面と挿入孔１２ａ（挿入孔１２ｂ）の内周面との間をシールするシールリング１２ｃ（シールリング１２ｄ）が装着されている。また、挿入孔１２ａ（挿入孔１２ｂ）には、シールリング１２ｃ（シールリング１２ｄ）より開口側に継手本体１４ａ（継手本体１５ａ）が挿入されるとともに、この継手本体１４ａ（継手本体１５ａ）の内側には、前方から後方に向かって径が縮径されたチャック金具１４ｂ（チャック金具１５ｂ）が装着されている。なお、チャック金具１４ｂ（チャック金具１５ｂ）における最も縮小された径は、管継手１４（管継手１５）に挿通される配管Ｈの径よりも小さく形成されている。そして、管継手１４（管継手１５）に配管Ｈが挿通される場合には、チャック金具１４ｂ（チャック金具１５ｂ）の縮径側が配管Ｈに食い込むかたちで該配管Ｈを保持（ロック）して抜けを防止する。
【００１８】
また、継手本体１４ａの内側には、前後方向に移動可能でかつチャック金具１４ｂに向かって傾斜を成すプッシュリング１４ｃが装着されている。プッシュリング１４ｃは、その前部がブロックベース１２から前方に突出する長さで形成されている。また、図１（ｃ）に示すように、プッシュリング１４ｃの前部は、ブロックベース１２から突出した先から外側に向かって長方形状に拡がることにより、操作面Ｓ１を形成している。なお、操作面Ｓ１は、その幅をブロックベース１２の幅よりも小さくしているとともに、その高さを継手本体１４ａの最も前部の径よりも小さくしている。また、プッシュリング１４ｃは、その後部の傾斜がチャック金具１４ｂの内周に当接するとともに、チャック金具１４ｂにより前側に付勢されている。一方、プッシュリング１４ｃは、その操作面Ｓ１が押下されることでチャック金具１４ｂ側（後方向）に移動する。そして、プッシュリング１４ｃは、操作面Ｓ１が押下される場合、後部の傾斜がチャック金具１４ｂの最も縮径された部位（後部）を内周側から押し上げて拡開させるようになっている。なお、プッシュリング１４ｃの後方への移動距離は、操作面Ｓ１の裏面が継手本体１４ａの最も前部に当接可能な距離までに規制されている。
【００１９】
そして、継手本体１４ａの内側に配管Ｈが挿通されると、挿入孔１２ａの内周面と配管Ｈの外周面との間がシールリング１２ｃによりシールされるとともに、配管Ｈがチャック金具１４ｂによりロックされる。一方、チャック金具１４ｂが配管Ｈを保持している場合、プッシュリング１４ｃの操作面Ｓ１が押下されると、チャック金具１４ｂの最も縮径された部位（後部）が内周側から押し上げられて拡開されることで、配管Ｈへの食い込みが解除されて該配管Ｈのロックが解除される。
【００２０】
なお、本実施形態の管継手１５（チャック金具１５ｂ及びプッシュリング１５ｃ）は、管継手１４（チャック金具１４ｂ及びプッシュリング１５ｃ）と同様の構成を有しているため、その構成については説明を割愛する。
【００２１】
このため、本実施形態では、チャック金具１４ｂ（チャック金具１５ｂ）とプッシュリング１４ｃ（プッシュリング１５ｃ）とにより配管Ｈを保持するロック機構、及び配管Ｈの保持を解除するロック解除機構が構築されている。そして、本実施形態における管継手１４（管継手１５）は、ロック機構及びロック解除機構を備えていることになる。
【００２２】
次に、アダプタ１３及び操作レバーＬの構成について説明する。
図２（ａ）〜（ｄ）に示すように、アダプタ１３における正面視長方形の箱型のアダプタ本体１３ａの上部には、アダプタ本体１３ａよりも厚みが薄く且つ幅が縮小された延設部１３ｂが延設されている。そして、アダプタ本体１３ａの下方及び延設部１３ｂの略真ん中には、ネジＮを挿通するネジ孔ｎがそれぞれ形成されている。
【００２３】
また、アダプタ本体１３ａには、後方向に延びる貫通孔１３ｃ，１３ｄが形成されている。貫通孔１３ｃは、管継手１４に対応するように形成される一方、貫通孔１３ｄは、管継手１５に対応するように形成される。そして、貫通孔１３ｃ，貫通孔１３ｄは、その前面側を操作面Ｓ１，Ｓ２の高さを直径とする円状に形成している。また、アダプタ本体１３ａの後側には、貫通孔１３ｃ，１３ｄと連通するとともに、操作面Ｓ１（操作面Ｓ２）と略同一幅でかつ操作面Ｓ１の上端から操作面Ｓ２の下端までを高さとする長方形状の開口部１３ｅが形成されている。なお、開口部１３ｅは、プッシュリング１４ｃ，１５ｃのブロックベース１２からの突出分に対応する奥行きに亘って形成されている。これにより、開口部１３ｅには、その後面側から操作面Ｓ１及び操作面Ｓ２を嵌め込み可能に形成されている。
【００２４】
また、アダプタ本体１３ａには、電磁弁１０の上下方向に沿って直線状に延伸するレバー挿通路１３ｆが延設部１３ｂの両側にそれぞれ形成されている。レバー挿通路１３ｆは、開口部１３ｅの底面に沿うとともに、この底面の左右端に沿うように形成される。このため、レバー挿通路１３ｆは、開口部１３ｅの対応部でアダプタ本体１３ａから露出して形成される一方、他の対応部でアダプタ本体１３ａ内に形成される。
【００２５】
そして、レバー挿通路１３ｆには、銅、ステンレス等の線材からなる正面視逆Ｕ字状に形成される操作レバーＬが電磁弁１０における上下方向に移動可能にその両端から挿通される。図３（ａ），（ｂ）に示すように、操作レバーＬには、作業者が操作時に用いる操作部Ｌａが逆Ｕ字状をなす線材の上端を略直角に折り曲げて形成されている。なお、操作部Ｌａは、操作レバーＬが最も下に移動したとしても延設部１３ｂと接触しない長さに折り曲げられている。また、操作レバーＬには、操作部Ｌａから下方に延伸する２本一組の足部Ｌｂが形成されている。また、一組の足部Ｌｂには、それぞれ途中に弓形状をなす押下部としての２つ一組の凸部Ｌｃが形成されている。なお、各足部Ｌｂは、図１（ａ）に示すように、貫通孔１３ｃ（プッシュリング１４ｃ）と貫通孔１３ｄ（プッシュリング１５ｃ）の間に操作レバーＬが位置する場合、アダプタ本体１３ａ内に形成されるレバー挿通路１３ｆに挿通可能な長さとされている。
【００２６】
そして、操作レバーＬは、操作部Ｌａの先端が電磁弁１０の前方に向いているとともに、足部Ｌｂにおける凸部Ｌｃがブロックベース１２側に突き出されるようにレバー挿通路１３ｆにそれぞれ挿通される。このため、操作レバーＬは、レバー挿通路１３ｆに挿通されると、開口部１３ｅの対応部でアダプタ本体１３ａから露出して挿通される一方、他の対応部でアダプタ本体１３ａ内に挿通される。
【００２７】
次に、ブロックベース１２にアダプタ１３を装着した状態について説明する。
アダプタ１３は、レバー挿通路１３ｆに操作レバーＬを挿通させた状態でブロックベース１２に装着される。なお、図１（ａ），（ｂ）に示すように、アダプタ１３とブロックベース１２とは、それぞれに形成する２組のネジ孔ｎに挿通されるネジＮにより締結される。これにより、ブロックベース１２とアダプタ１３とを一体とする電磁弁の管継手構造Ｕが構築されることになる。
【００２８】
そして、図１（ａ）に示すように、アダプタ１３とブロックベース１２とが締結された状態では、ブロックベース１２の前面とアダプタ１３の後面とが当接する。さらに、アダプタ本体１３ａの開口部１３ｅには、後方からプッシュリング１４ｃの前部（操作面Ｓ１）とプッシュリング１５ｃの前部（操作面Ｓ２）とが嵌め込まれる。そして、これにより、開口部１３ｅの底面において、操作レバーＬの各足部Ｌｂと操作面Ｓ１とが左右両側で当接するとともに、操作レバーＬの各足部Ｌｂと操作面Ｓ２とが左右両側で当接することになる。なお、図１（ａ）では、操作レバーＬの一組の凸部Ｌｃが貫通孔１３ｃ（操作面Ｓ１）と貫通孔１３ｄ（操作面Ｓ２）との間に位置している。この状態において、プッシュリング１４ｃ，１５ｃは、チャック金具１４ｂ，１５ｂにより付勢されていることから、操作面Ｓ１，Ｓ２を通じて操作レバーＬの各足部Ｌｂを開口部１３ｅの底面に向かって付勢する。
【００２９】
また、図１（ｂ）に示すように、アダプタ１３とブロックベース１２とが締結された状態では、アダプタ本体１３ａにおける貫通孔１３ｃ（貫通孔１３ｄ）を通して出力ポート１１ａ（出力ポート１１ｂ）、チャック金具１４ｂ（チャック金具１５ｂ）、操作面Ｓ１の一部（操作面Ｓ２の一部）を確認することができる。また、アダプタ１３とブロックベース１２とが締結された状態では、操作レバーＬの操作部Ｌａが延設部１３ｂとブロックベース１２の間に位置することを確認することができる。
【００３０】
次に、電磁弁１０の出力ポート１１ａ，１１ｂのそれぞれに配管Ｈが接続されている電磁弁１０への接続状態から、それぞれの配管Ｈを抜き取る過程について説明する。
図４（ａ）に示すように、電磁弁１０への接続状態では、操作レバーＬの一組の凸部Ｌｃが貫通孔１３ｃ（操作面Ｓ１）と貫通孔１３ｄ（操作面Ｓ２）との間、すなわち貫通孔１３ｃ（操作面Ｓ１）の下方と貫通孔１３ｄ（操作面Ｓ２）の上方に位置するロック位置にセットされる。この場合、図４（ｂ）に示すように、電磁弁１０への接続状態では、管継手１４，１５における配管Ｈがチャック金具１４ｂ，１５ｂによりロックされている。なお、操作レバーＬがロック位置にセットされる場合には、電磁弁１０の出力ポート１１ａ，１１ｂのそれぞれに接続するように配管Ｈを挿すことができる。
【００３１】
続いて、電磁弁１０の出力ポート１１ｂと接続されている配管Ｈを抜き取る場合には、操作レバーＬをロック位置から電磁弁１０における下方向に操作することにより、出力ポート１１ｂへの接続解除状態となる。この操作に伴っては、一組の凸部Ｌｃがプッシュリング１５ｃの操作面Ｓ２に向かって移動するとともに、一組の凸部Ｌｃがその形状に合わせてプッシュリング１５ｃの操作面Ｓ２を押下する。
【００３２】
そして、図５（ａ）に示すように、出力ポート１１ｂへの接続解除状態では、操作レバーＬの一組の凸部Ｌｃが操作面Ｓ２に位置する出力ポート１１ｂ解除位置にセットされる。これにより、プッシュリング１５ｃは、操作面Ｓ２の裏面が継手本体１５ａの最も前部に当接するまで後方へ移動する。この場合、図５（ｂ）に示すように、出力ポート１１ｂへの接続解除状態では、管継手１５における配管Ｈのチャック金具１５ｂによるロックが解除される。これにより、出力ポート１１ｂと接続されている配管Ｈを抜き取ることができる。すなわち、本実施形態では、操作レバーＬをロック位置から出力ポート１１ｂ解除位置に移動する一の解除動作を伴う結果、操作レバーＬによりチャック金具１５ｂ及びプッシュリング１５ｃ（ロック解除機構）が操作されて出力ポート１１ｂへの接続解除状態が実現される。さらに本実施形態では、出力ポート１１ｂへの接続解除状態が実現されても、出力ポート１１ａに対する電磁弁１０への接続状態を維持する。
【００３３】
一方、電磁弁１０の出力ポート１１ａと接続されている配管Ｈを抜き取る場合には、操作レバーＬをロック位置から電磁弁１０における上方向に操作することにより、出力ポート１１ａへの接続解除状態となる。この操作に伴っては、一組の凸部Ｌｃがプッシュリング１４ｃの操作面Ｓ１に向かって移動するとともに、一組の凸部Ｌｃがその形状に合わせてプッシュリング１４ｃの操作面Ｓ１を押下する。
【００３４】
そして、図６（ａ）に示すように、出力ポート１１ａへの接続解除状態では、操作レバーＬの一組の凸部Ｌｃが操作面Ｓ１に位置する出力ポート１１ａ解除位置にセットされる。これにより、プッシュリング１４ｃは、操作面Ｓ１の裏面が継手本体１４ａの最も前部に当接するまで後方へ移動する。この場合、図６（ｂ）に示すように、出力ポート１１ａへの接続解除状態では、管継手１４における配管Ｈのチャック金具１４ｂによるロックが解除される。これにより、出力ポート１１ａと接続されている配管Ｈを抜き取ることができる。すなわち、本実施形態では、操作レバーＬをロック位置から出力ポート１１ａ解除位置に移動する一の解除動作を伴う結果、操作レバーＬによりチャック金具１４ｂ及びプッシュリング１４ｃ（ロック解除機構）が操作されて出力ポート１１ａへの接続解除状態が実現される。さらに本実施形態では、出力ポート１１ａへの接続解除状態が実現されても、出力ポート１１ｂに対する電磁弁１０への接続状態を維持する。
【００３５】
以上説明したように本実施形態によれば、以下に示す作用効果を奏することができる。
（１）管継手構造（管継手構造Ｕ）は、ロック解除機構操作手段（操作レバーＬ）を設けたアダプタ（アダプタ１３）と一体の構成とした。これによれば、配管（配管Ｈ）の保持（ロック）の解除に際し、作業者は一体に構成されるアダプタ（アダプタ１３）に設けたロック解除機構操作手段（操作レバーＬ）を操作すればよいことになる。このため、配管（配管Ｈ）の保持（ロック）の解除に際し、作業者は管継手のロック解除機構（チャック金具１４ｂ及びプッシュリング１４ｃ、又はチャック金具１５ｂ及びプッシュリング１５ｃ）を作業者が直接操作する必要がなくなる。その結果、管継手（管継手１４，１５）が小型化される場合でも、該管継手におけるロック解除機構（チャック金具１４ｂ及びプッシュリング１４ｃ、又はチャック金具１５ｂ及びプッシュリング１５ｃ）を直接操作しなくてもよくなることから配管（配管Ｈ）の変更に伴う作業を容易に行うことができるようになる。
【００３６】
（２）ロック解除機構（チャック金具１４ｂ及びプッシュリング１４ｃ、又はチャック金具１５ｂ及びプッシュリング１５ｃ）は、操作面（操作面Ｓ１又は操作面Ｓ２）が所定方向（電磁弁１０における後方）に押下されることで配管（配管Ｈ）の保持（ロック）を解除する構成とした。また、ロック解除機構操作手段（操作レバーＬ）には、解除動作に伴って操作面（操作面Ｓ１又は操作面Ｓ２）を所定方向（電磁弁１０における後方）に押下する押下部（２つ一組の凸部Ｌｃ）を設ける構成とした。これによれば、配管（配管Ｈ）の保持（ロック）の解除に際し、ロック解除機構（チャック金具１４ｂ及びプッシュリング１４ｃ、又はチャック金具１５ｂ及びプッシュリング１５ｃ）の操作面（操作面Ｓ１又は操作面Ｓ２）を所定方向（電磁弁１０における後方）に押下するのみでよいことになる。そして、配管（配管Ｈ）の保持（ロック）の解除に際し、ロック解除機構操作手段（操作レバーＬ）の押下部（２つ一組の凸部Ｌｃ）が操作面（操作面Ｓ１又は操作面Ｓ２）を所定方向（電磁弁１０における後方）に押下するので、作業者は、ロック解除機構操作手段（操作レバーＬ）が解除動作を伴うように操作すればよいことになる。このため、配管（配管Ｈ）の保持（ロック）の解除に際し、作業者は管継手のロック解除機構（チャック金具１４ｂ及びプッシュリング１４ｃ、又はチャック金具１５ｂ及びプッシュリング１５ｃ）を作業者が直接操作する必要がなくなる。
【００３７】
（３）ロック解除機構操作手段（操作レバーＬ）の解除動作は、電磁弁（電磁弁１０）に対して上下方向の動作を伴う構成とした。これによれば、作業者はロック解除機構操作手段（操作レバーＬ）を上下方向に操作すればよいことになる。このため、電磁弁（電磁弁１０）が連接される場合にも、他の電磁弁に配管（配管Ｈ）が接続されているかどうかにかかわらず配管（配管Ｈ）の保持（ロック）を解除することができる。
【００３８】
（４）ロック解除機構操作手段（操作レバーＬ）は、一の解除動作（ロック位置から各出力ポート解除位置への動作）を伴う結果、複数のポート（出力ポート１１ａ，１１ｂ）のうち一のポートに対応する操作面（操作面Ｓ１又は操作面Ｓ２）を押下する構成とした。これによれば、ロック解除機構操作手段（操作レバーＬ）による動作により対応する管継手（管継手１４，１５）における配管（配管Ｈ）の保持（ロック）の解除を、管継手（管継手１４，１５）毎にそれぞれ行うことができるようになる。このため、電磁弁（電磁弁１０）の複数のポート（出力ポート１１ａ，１１ｂ）と配管（配管Ｈ）をそれぞれに接続するための複数の管継手（管継手１４，１５）を備える場合において、ある特定の配管（配管Ｈ）の保持（ロック）を解除したいが他の配管（配管Ｈ）については保持（ロック）を維持したい場合など、作業効率を向上させることができる。
【００３９】
（５）操作レバーＬは、レバー挿通路１３ｆへ挿通したのとは逆の動作を伴わせることで、レバー挿通路１３ｆから抜き取ることができる。これによれば、配管の保持の解除をした後など、配管の保持の解除を要しない場面では、操作レバーＬをレバー挿通路１３ｆから抜き取ることで、意図しない操作レバーＬの操作を防止することができる。このため、配管の保持の解除が必要ない場面における、操作レバーＬの誤操作を防止することができる。
（第２の実施形態）
以下、本発明の第２の実施形態を図７及び図８に基づき説明する。なお、以下に説明する実施形態では、既に説明した実施形態と同一の構成について同一番号を付すことによりその重複する説明を割愛する。
【００４０】
図７（ａ），（ｂ）に示すように、本実施形態における操作レバーＬにおける一組の足部Ｌｂには、それぞれ途中に弓形状をなす押下部としての２つ一組の凸部Ｌｃ１と２つ一組の凸部Ｌｃ２とが形成されている。なお、本実施形態における開口部１３ｅは、レバー挿通路１３ｆに操作レバーＬが挿通される場合、操作レバーＬの移動範囲において各凸部Ｌｃ１，Ｌｃ２がアダプタ本体１３ａから露出されるように形成されている。
【００４１】
そして、本実施形態における電磁弁１０への接続状態では、操作レバーＬの一組の凸部Ｌｃ１が貫通孔１３ｃ（操作面Ｓ１）と貫通孔１３ｄ（操作面Ｓ２）との間、すなわち操作面Ｓ１の下方と操作面Ｓ２の上方に位置するとともに、一組の凸部Ｌｃ２が貫通孔１３ｄ（操作面Ｓ２）の下方に位置するロック位置にセットされる。
【００４２】
続いて、電磁弁１０の出力ポート１１ａ及び出力ポート１１ｂの両出力ポートと接続されている配管Ｈを抜き取る場合には、操作レバーＬをロック位置から電磁弁１０における上方向に操作することにより、両出力ポートへの接続解除状態となる。この操作に伴っては、一組の凸部Ｌｃ１がプッシュリング１４ｃの操作面Ｓ１に向かって移動するとともに、一組の凸部Ｌｃ２がプッシュリング１５ｃの操作面Ｓ２に向かって移動する。そして、このような移動に伴っては、一組の凸部Ｌｃ１がその形状に合わせてプッシュリング１４ｃの操作面Ｓ１を押下するとともに、一組の凸部Ｌｃ２がその形状に合わせてプッシュリング１５ｃの操作面Ｓ２を押下する。
【００４３】
そして、図８（ａ）に示すように、両出力ポート（出力ポート１１ａ，１１ｂ）への接続解除状態では、操作レバーＬの一組の凸部Ｌｃ１が操作面Ｓ１に位置するとともに、操作レバーＬの一組の凸部Ｌｃ２が操作面Ｓ２に位置する両出力ポート解除位置にセットされる。これにより、プッシュリング１４ｃは、操作面Ｓ１の裏面が継手本体１４ａの最も前部に当接するまで後方へ移動する。また、プッシュリング１５ｃは、操作面Ｓ２の裏面が継手本体１５ａの最も前部に当接するまで後方へ移動する。この場合、図８（ｂ）に示すように、両出力ポート（出力ポート１１ａ，１１ｂ）への接続解除状態では、管継手１４における配管Ｈのチャック金具１４ｂによるロックが解除されるとともに、管継手１５における配管Ｈのチャック金具１５ｂによるロックが合わせて（同時に纏めて）解除される。これにより、両出力ポート（出力ポート１１ａ，１１ｂ）と接続されている配管Ｈを纏めて抜き取ることができる。すなわち、本実施形態では、操作レバーＬをロック位置から両出力ポート解除位置に移動する一の解除動作を伴う結果、操作レバーＬによりチャック金具１４ｂ及びプッシュリング１４ｃ（ロック解除機構）とチャック金具１５ｂ及びプッシュリング１５ｃ（ロック解除機構）とが合わせて操作される。その結果、出力ポート１１ａ及び出力ポート１１ｂへの接続解除状態が合わせて（同時に纏めて）実現される。
【００４４】
以上説明したように本実施形態によれば、第１の実施形態の効果（１）〜（３），（５）と同様の効果に加えて以下に示す作用効果を奏することができる。
（６）ロック解除機構操作手段（操作レバーＬ）は、一の解除動作（ロック位置から両出力ポート解除位置への動作）を伴う結果、複数の管継手（管継手１４，１５）の操作面（操作面Ｓ１，Ｓ２）をそれぞれ押下する構成とした。これによれば、ロック解除機構操作手段（操作レバーＬ）の一の解除動作により複数の管継手（間継手１４，１５）における配管（配管Ｈ）の保持（ロック）の解除を、同時に纏めて行うことができるようになる。このため、電磁弁（電磁弁１０）の複数のポート（出力ポート１１ａ，１１ｂ）と配管（配管Ｈ）をそれぞれに接続するための複数の管継手（管継手１４，１５）を備える場合において、作業者は操作としてロック解除機構操作手段（操作レバーＬ）に一の解除動作をさせればよいことになる。すなわち、作業者は操作としロック解除機構操手段（操作レバーＬ）に一の解除動作をさせれば複数の管継手（管継手１４，１５）における配管（配管Ｈ）の保持（ロック）を解除することができ、ポート毎に解除動作を行わせる必要がなくなる。
【００４５】
なお、上述した各実施形態は、これを適宜変更した以下の形態にて実施することもできる。
・各実施形態において、凸部Ｌｃ，Ｌｃ１，Ｌｃ２は、各足部Ｌｂの何れかにのみ形成するようにしてもよい。この場合には、操作レバーＬの足部Ｌｂ（レバー挿通路１３ｅ）を片方のみとすることもできる。また、配管Ｈの保持の解除に対して同時に作用する凸部であれば、３以上の凸部が形成されていてもよい。
【００４６】
・各実施形態において、単数又は３以上の出力ポートを有する電磁弁に適用することもできる。そして、第１の実施形態では、出力ポート毎に配管Ｈの保持を解除できるように構成されていればよい。また、第２の実施形態では、複数の出力ポートにおける配管Ｈの保持を解除できるように構成されていればよい。
【００４７】
・各実施形態において、操作レバーＬの操作部Ｌａは、電磁弁１０における下方に位置する構成を採用することもできる。
・各実施形態において、操作面Ｓ１，Ｓ２は、円状に形成してもよい。
【００４８】
・各実施形態において、配管Ｈの保持の解除に際しては、操作面Ｓ１，Ｓ２を回動させるような機構で実現することもできる。
・各実施形態において、操作レバーＬの解除動作として、前後方向の動作を伴わせるように構成したり、左右方向の動作を伴わせるように構成したりもできる。
【００４９】
・各実施形態において、ロック機構及びロック解除機構としては、配管Ｈを保持（ロック）及び解除可能であればその構成を変更することもできる。例えば、操作面Ｓ１，Ｓ２の押下に合わせて機械的な構成に基づき配管Ｈの保持を解除する構成で実現することもできる。
【００５０】
・各実施形態は、出力ポートに対しての適用例を示したが、給排ポートに対して適用することもできる。
・第１の実施形態では、解除動作として下方向への動作のみや上方向への動作のみとすることもできる。例えば、ロック位置では、凸部Ｌｃが操作面Ｓ１，Ｓ２の上方に位置するようにする。
【００５１】
・第２の実施形態において、操作レバーＬには、図９に示すように、レバー挿通路１３ｆからの抜けを防止する抜け防止部Ｌｄを、操作レバーＬの両先端又は何れかの先端を折り曲げて形成することもできる。そして、抜け防止部Ｌｄがプッシュリング１５ｃなどに引っかかることで操作レバーＬの抜けが防止される。なお、抜け防止部Ｌｄは、第１の実施形態における操作レバーＬに形成することもできる。
【００５２】
・第２の実施形態では、解除動作として上方向への動作とすることもできる。例えば、ロック位置では、凸部Ｌｃ１が操作面Ｓ１の上方に位置するとともに、凸部Ｌｃ２が操作面Ｓ１の下方と操作面Ｓ２の上方に位置するようにする。また、凸部Ｌｃ２に関しては、操作面Ｓ１，Ｓ２の上方に位置するようにする。
【符号の説明】
【００５３】
Ｈ…配管、Ｌ…操作レバー、Ｌｃ，Ｌｃ１，Ｌｃ２…凸部、Ｓ１，Ｓ２…操作面、Ｕ…管継手構造、１０…電磁弁、１１…電磁弁本体、１１ａ，１１ｂ…出力ポート、１２…ブロックベース、１３…アダプタ、１３ｃ，１３ｄ…貫通孔、１３ｅ…開口部、１３ｆ…レバー挿通路、１４，１５…管継手、１４ｂ，１５ｂ…チャック金具、１４ｃ，１５ｃ…プッシュリング。
【図１】
0005777917.tif 000002
【図２】
0005777917.tif 000003
【図３】
0005777917.tif 000004
【図４】
0005777917.tif 000005
【図５】
0005777917.tif 000006
【図６】
0005777917.tif 000007
【図７】
0005777917.tif 000008
【図８】
0005777917.tif 000009
【図９】
0005777917.tif 000010